(57)【要約】      （修正有）【課題】システム構成要素を監視するとき、所望の構成要素が容易に見られるようにすること。【解決手段】複数のシステムアセット１０２の動作を監視するためのデバイス１０６は、複数のシステムアセットのモデルを記憶するように構成された記憶デバイス１１２を含み、モデルは、システムアセットに関連する複数のアセット画像およびシステムアセットに結合した複数の導管１０３を表す複数の構成要素接続を含む。デバイスはまた、記憶デバイスに結合されたプロセッサ１１０を含む。プロセッサは、複数のアセット画像を表示し、複数の構成要素接続を表示するように構成される。プロセッサはまた、アセット画像を選択し、選択されたアセット画像に関連するシステムアセットの状態を表示し、アセット画像が選択されると、システムアセットに入るプロセス流およびシステムアセットを出るプロセス流の少なくとも一方の表現を自動的に表示するように構成される。【選択図】図１
2013196689.tif 000002
【特許請求の範囲】
【請求項１】
複数のシステムアセットの動作を監視するときに使用するためのデバイスであって、
複数のシステムアセットのモデルを記憶するように構成された記憶デバイスであって、前記モデルは、
前記複数のシステムアセットに関連する複数のアセット画像、および、
前記複数のシステムアセットに結合した複数の導管を表す複数の構成要素接続を含む、記憶デバイスと、
プロセッサとを備え、前記プロセッサは、前記記憶デバイスに結合され、また、
前記複数のアセット画像を表示し、
前記複数の構成要素接続を表示し、
前記複数のアセット画像のあるアセット画像を選択し、
前記選択されたアセット画像に関連するシステムアセットの状態を表示し、
前記アセット画像が選択されると、前記システムアセットに入るプロセス流および前記システムアセットを出るプロセス流の少なくとも一方の表現を自動的に表示するように構成されるデバイス。
【請求項２】
ユーザ入力を表す信号を前記プロセッサに送信するように構成されたユーザ入力デバイスをさらに備える請求項１記載のデバイス。
【請求項３】
前記プロセッサは、前記ユーザ入力信号に基づいてユーザが前記モデルを通してナビゲートすることを可能にするようにさらに構成される請求項２記載のデバイス。
【請求項４】
前記プロセッサは、前記複数のシステムアセットの場所に対するユーザの場所を示すデータに基づいてユーザが前記モデルを通してナビゲートすることを可能にするようにさらに構成される請求項１記載のデバイス。
【請求項５】
前記プロセッサは、アセット画像を調整して、前記調整済みアセット画像に関連するシステムアセットの動作状態をグラフィカルに表示するようにさらに構成される請求項１記載のデバイス。
【請求項６】
前記プロセッサは、前記モデル内で少なくとも１つのセンサの場所を表示するようにさらに構成され、前記少なくとも１つのセンサは、前記複数のシステムアセットの少なくとも１つのシステムアセットの動作条件を測定するように構成される請求項１記載のデバイス。
【請求項７】
前記プロセッサは、前記複数の構成要素接続の少なくとも１つの構成要素接続を使用して、前記複数のシステムアセットの第１のシステムアセットを出て、かつ、前記複数のシステムアセットの第２のシステムアセットに入るプロセス流を表示するようにさらに構成される請求項１記載のデバイス。
【請求項８】
システムであって、
複数のシステムアセットの状態を決定するためのデータ収集デバイスと、
前記データ収集デバイスに結合されたコンピューティングデバイスとを備え、前記コンピューティングデバイスは、
複数のシステムアセットのモデルを記憶するように構成された記憶デバイスであって、前記モデルは、
前記複数のシステムアセットに関連する複数のアセット画像、および、
前記複数のシステムアセットに結合した複数の導管を表す複数の構成要素接続を含む、記憶デバイスと、
プロセッサとを備え、前記プロセッサは、前記記憶デバイスに結合され、また、
前記複数のアセット画像を表示し、
前記複数の構成要素接続を表示し、
前記複数のアセット画像のあるアセット画像を選択し、
前記選択されたアセット画像に関連するシステムアセットの状態を表示し、
前記アセット画像が選択されると、前記システムアセットに入るプロセス流および前記システムアセットを出るプロセス流の少なくとも一方の表現を自動的に表示するように構成されるシステム。
【請求項９】
ユーザ入力を表す信号を前記プロセッサに送信するように構成されたユーザ入力デバイスをさらに備える請求項８記載のシステム。
【請求項１０】
前記プロセッサは、前記ユーザ入力信号に基づいてユーザが前記モデルを通してナビゲートすることを可能にするようにさらに構成される請求項９記載のシステム。
【請求項１１】
前記プロセッサは、前記複数のシステムアセットの場所に対するユーザの場所を示すデータに基づいてユーザが前記モデルを通してナビゲートすることを可能にするようにさらに構成される請求項８記載のシステム。
【請求項１２】
前記プロセッサは、アセット画像を調整して、前記調整済みアセット画像に関連するシステムアセットの動作状態をグラフィカルに表示するようにさらに構成される請求項８記載のシステム。
【請求項１３】
前記プロセッサは、前記モデル内で少なくとも１つのセンサの場所を表示するようにさらに構成され、前記少なくとも１つのセンサは、前記複数のシステムアセットの少なくとも１つのシステムアセットの動作条件を測定するように構成される請求項８記載のシステム。
【請求項１４】
前記プロセッサは、前記複数の構成要素接続の少なくとも１つの構成要素接続を使用して、前記複数のシステムアセットの第１のシステムアセットを出て、かつ、前記複数のシステムアセットの第２のシステムアセットに入るプロセス流を表示するようにさらに構成される請求項８記載のシステム。
【請求項１５】
複数のシステムアセットの動作を監視する方法であって、
複数のシステムアセットの状態を表すデータを受信すること、
ディスプレイ上で前記複数のシステムアセットのモデルを表示することであって、前記モデルは複数のアセット画像を含み、前記複数のアセット画像の各アセット画像は前記複数のシステムアセットのあるシステムアセットを表す、表示すること、
前記ディスプレイ上に複数の構成要素接続を表示することであって、各構成要素接続は前記複数のシステムアセットの少なくとも１つのシステムアセットに結合した導管を表す、表示すること、
前記複数のアセット画像のあるアセット画像を選択すること、
前記選択されたアセット画像に関連するシステムアセットの状態を表示すること、および、
前記アセット画像が選択されると、前記システムアセットに入るプロセス流および前記システムアセットを出るプロセス流の少なくとも一方の表現を自動的に表示することを含む方法。
【請求項１６】
ユーザ入力に基づいて前記アセット画像を選択することを含む請求項１５記載の方法。
【請求項１７】
ユーザ入力に基づいて前記モデルを通してナビゲートすることをさらに含む請求項１５記載の方法。
【請求項１８】
前記複数のシステムアセットの場所に対するユーザの場所を示すデータに基づいて前記モデルを通してナビゲートすることをさらに含む請求項１５記載の方法。
【請求項１９】
前記ディスプレイ内で少なくとも１つのセンサの場所を表示することをさらに含み、前記少なくとも１つのセンサは、前記複数のシステムアセットの少なくとも１つのシステムアセットの動作条件を測定するように構成される請求項１５記載の方法。
【請求項２０】
前記複数の構成要素接続の少なくとも１つの構成要素接続を使用して、前記複数のシステムアセットの第１のシステムアセットを出て、かつ、前記複数のシステムアセットの第２のシステムアセットに入るプロセス流を表示することをさらに含む請求項１５記載の方法。
【発明の詳細な説明】
【技術分野】
【０００１】
本発明は、一般に、電力システムに関し、より詳細には、システムアセットの動作を監視するときに使用するための方法および装置に関する。
【背景技術】
【０００２】
少なくともいくつかの知られている電力システムは、発電機、モータ、ファン、および／または他の構成要素などの複数の構成要素を含む。こうした構成要素は、電力プラントまたは工場などの建物内に格納または配置されことが多い。建物は、非常に多くの数の構成要素を収容することができるため、ユーザが所望の構成要素を位置特定する、かつ／または、所望の構成要素までナビゲートすることが難しい可能性がある。たとえば、所望の構成要素は、背後に配置される場合がある、かつ／または、所望の構成要素が容易に見られないように別の構成要素によって覆い隠される場合がある。
【０００３】
さらに、電力システムの動作中に、１つまたは複数の構成要素が、故障を経験する場合がある、かつ／または、予め規定された境界外で動作する場合がある。こうした構成要素は、故障または許容されない動作条件をユーザに報知するためにアラーム状態に入る場合がある。
【０００４】
システム構成要素を監視するために、少なくともいくつかの知られているシステムは、システム構成要素の仮想表現を使用してモデル化される。こうしたモデルは、システム構成要素の表現を含み、構成要素の状態を表示することができる。有用であるが、一般にこうしたモデルは、仮想環境内でシステムモデルを通してユーザがナビゲートすることを可能にできず、かつ／または、複数の相互接続されたシステム構成要素を通るプロセス流をユーザが効率的に閲覧することを可能にしない場合がある。したがって、システム構成要素を監視するときのこうしたシステムモデルの信頼性および有効性が制限される場合がある。
【先行技術文献】
【特許文献】
【０００５】
【特許文献１】米国特許第８，０２６，９３３号明細書
【発明の概要】
【０００６】
一実施形態では、複数のシステムアセットの動作を監視するためのデバイスが提供され、デバイスは、複数のシステムアセットのモデルを記憶するように構成された記憶デバイスを含み、モデルは、システムアセットに関連する複数のアセット画像およびシステムアセットに結合した複数の導管を表す複数の構成要素接続を含む。デバイスはまた、記憶デバイスに結合されたプロセッサを含む。プロセッサは、複数のアセット画像を表示し、複数の構成要素接続を表示するように構成される。プロセッサはまた、アセット画像を選択し、選択されたアセット画像に関連するシステムアセットの状態を表示し、アセット画像が選択されると、システムアセットに入るプロセス流およびシステムアセットを出るプロセス流の少なくとも一方の表現を自動的に表示するように構成される。
【０００７】
別の実施形態では、システムが提供され、システムは、複数のシステムアセットの状態を決定するためのデータ収集デバイスと、データ収集デバイスに結合されたコンピューティングデバイスとを含む。コンピューティングデバイスは、複数のシステムアセットのモデルを記憶するように構成された記憶デバイスを含み、モデルは、複数のシステムアセットに関連する複数のアセット画像および複数のシステムアセットに結合した複数の導管を表す複数の構成要素接続を含む。コンピューティングデバイスはまた、記憶デバイスに結合されたプロセッサを含む。プロセッサは、複数のアセット画像を表示し、複数の構成要素接続を表示するように構成される。プロセッサはまた、複数のアセット画像のあるアセット画像を選択し、選択されたアセット画像に関連するシステムアセットの状態を表示し、アセット画像が選択されると、システムアセットに入るプロセス流およびシステムアセットを出るプロセス流の少なくとも一方の表現を自動的に表示するように構成される。
【０００８】
さらに別の実施形態では、複数のシステムアセットの動作を監視する方法が提供され、方法は、複数のシステムアセットの状態を表すデータを受信すること、および、複数のシステムアセットのモデルを表示することを含む。モデルは複数のアセット画像を含み、各アセット画像は複数のシステムアセットのあるシステムアセットを表す。複数の構成要素接続は、ディスプレイ上に表示され、各構成要素接続は複数のシステムアセットの少なくとも１つのシステムアセットに結合した導管を表す。方法はまた、複数のアセット画像のあるアセット画像を選択すること、選択されたアセット画像に関連するシステムアセットの状態を表示すること、および、アセット画像が選択されると、システムアセットに入るプロセス流およびシステムアセットを出るプロセス流の少なくとも一方の表現を自動的に表示することを含む。
【０００９】
本発明のこれらのまた他の特徴、態様、および利点は、添付図面を参照して、以下の詳細な説明が読まれると、よりよく理解されるであろう。図面では、同じ記号は、図面全体を通して同じ部品を表す。
【図面の簡単な説明】
【００１０】
【図１】複数のシステムアセットを含む例示的なシステムのブロック図である。
【図２】図１に示すシステムのモデルの例示的な２次元図のブロック図である。
【図３】図１に示すシステムのモデルの例示的な３次元図のブロック図である。
【図４】図１に示すシステムと共に使用される複数のシステムアセットの動作を監視するために実装されることができる例示的な方法のフロー図である。
【発明を実施するための形態】
【００１１】
図１は、複数のシステムアセット１０２を含む例示的なシステム１００のブロック図である。例示的な実施形態では、システム１００は、工場、産業システムまたは施設、製粉所、精錬所、製造施設、発電プラントまたは施設、および／または複数のシステムアセット１０２を含む任意の他のシステムとすることができる、または、それらを含むことができる。システムアセット１０２は、機械、モータ、発電機、ポンプ、ファン、コンピュータシステムまたはデバイス、センサ、および／または、システム１００が本明細書で述べるように機能することを可能にする任意の他のデバイスまたは機械を含むことができるが、それだけに限定されない。
【００１２】
システムアセット１０２は、たとえばアセット１０２間でプロセス流を流すことを容易にする１つまたは複数の導管１０３を介して共に結合されることができる。たとえば、導管１０３は、１つまたは複数のパイプ、ケーブル、ワイヤ、機械的ドライブまたは結合システム、および／または、システムアセット１０２間でプロセス流が流されることを可能にする他のコネクタを含むことができる。プロセス流は、燃焼ガス、蒸気、作動液、水、燃料、電気（たとえば、アセット１０２の電力出力および／または電力消費）、および／または、システム１００が本明細書で述べるように機能することを可能にするシステムアセット１０２からの任意の他の出力および／またはシステムアセット１０２への任意の他の入力を含むことができる。
【００１３】
例示的な実施形態では、少なくとも１つのセンサ１０４は、アセット１０２の動作条件を測定するかつ／または監視するときに使用するために少なくとも１つのシステムアセット１０２に結合される。たとえば、アセット１０２が回転機械である場合、センサ１０４は、機械のドライブシャフトの振動、ドライブシャフトの回転周波数または速度、機械の温度、機械内の動作圧、および／または、システム１００が本明細書で述べるように機能することを可能にする任意の構成要素またはデバイスの任意の他の動作条件を測定することができる。さらに、センサ１０４は、導管１０３と結合して、導管１０３および／または導管１０３を通って流されるプロセス流を測定するかつ／または監視することができる。
【００１４】
システム１００はまた、少なくとも１つのデータ収集デバイス１０６およびデータ収集デバイス１０６に結合する少なくとも１つのコンピューティングデバイス１０８を含む。例示的な実施形態では、データ収集デバイス１０６は、１つまたは複数のメモリデバイス１１２に結合したプロセッサ１１０と、センサインタフェース１１４と、通信インタフェース１１６と、１つまたは複数のデータベース１１８を含む。
【００１５】
プロセッサ１１０は、１つまたは複数のシステムおよびマイクロコントローラ、マイクロプロセッサ、縮小命令セット回路（ＲＩＳＣ）、特定用途向け集積回路（ＡＳＩＣ）、プログラマブルロジック回路（ＰＬＣ）、フィールドプログラマブルゲートアレイ（ＦＰＧＡ）、および、本明細書で述べる機能を実行することが可能な任意の他の回路を含む任意の適したプログラマブル回路を含む。上記例は、例示に過ぎず、したがって、用語「プロセッサ（processor）」の定義および／または意味をいずれの点でも制限することを意図されない。
【００１６】
例示的な実施形態では、メモリデバイス１１２は、制限なしで、ランダムアクセスメモリ（ＲＡＭ）、フラッシュメモリ、ハードディスクドライブ、固体ドライブ、ディスケット、フラッシュドライブ、コンパクトディスク、デジタルビデオディスク、および／または、任意の適したメモリなどの、コンピュータ可読記憶媒体を含む記憶デバイスである。例示的な実施形態では、メモリデバイス１１２は、プロセッサ１１０が本明細書で述べる機能を実行することを可能にする、プロセッサ１１０によって実行可能であるデータおよび／または命令を含む（すなわち、プロセッサ１１０は命令によってプログラムされる）。
【００１７】
センサインタフェース１１４は、アセット１０２の被測定動作条件を表す信号を受信するためにセンサ１０４に結合される。より具体的には、センサインタフェース１１４は、センサ１０４に対する無線接続を介しておよび／または有線接続を介してセンサ１０４から信号を受信する。例示的な実施形態では、センサインタフェース１１４は、プロセッサ１１０が使用するために、センサ１０４から受信された信号を変換するかつ／または調整する。一実施形態では、センサインタフェース１１４は、センサ１０４から受信されたアナログ信号を、被測定動作条件を表すデジタルデータ（以降で「アセット測定データ（asset measurement data）」と呼ばれる）に変換するアナログデジタル変換器（ＡＤＣ）を含み、アセット測定データは、プロセッサ１１０に送信される。例示的な実施形態では、データ収集デバイス１０６は、受信されるアセット測定データに基づいて各システムアセット１０２の状態を決定する。
【００１８】
通信インタフェース１１６は、制限なしで、ネットワークインタフェースコントローラ（ＮＩＣ）、ネットワークアダプタ、送受信機、または、データ収集デバイス１０６が本明細書で述べるように動作することを可能にする任意の他の通信インタフェースまたはデバイスを含むことができる。例示的な実施形態では、通信インタフェース１１６は、任意の適した有線または無線ネットワークおよび／または通信プロトコルを使用してコンピューティングデバイス１０８に接続することができる。
【００１９】
例示的な実施形態では、データベース１１８は、測定データベース１２０およびモデルデータベース１２２を含む。あるいは、データベース１１８は、任意の他のデータベースおよび／または測定データベース１２０を含むことができ、また、モデルデータベース１２２は、単一データベース１１８内に結合されることができる。一実施形態では、データベース１１８は、１つまたは複数のメモリデバイス１１２内に含まれる。あるいは、データベース１１８は、ネットワークアタッチドストレージ（ＮＡＳ）デバイス、外部ハードドライブ、リモートコンピューティングデバイス、および／または、データ収集デバイス１０６が本明細書で述べるように機能することを可能にする任意の他の記憶デバイスなどの、１つまたは複数のリモート記憶デバイス内に含まれる。
【００２０】
例示的な実施形態では、プロセッサ１１０は、センサ１０４から受信されるアセット測定データを測定データベース１２０に記憶する。一実施形態では、測定データベース１２０は、予め規定された期間中に各アセット１０２についての履歴アセット測定データを記憶する。さらに、プロセッサ１１０（または別のデバイス）は、システム１００および／またはシステムアセット１０２のモデル（図１に示さず）の構成要素をモデルデータベース１２２に記憶する。例示的な実施形態では、モデル構成要素は、各システムアセット１０２に関連するデータを含む。たとえば、モデル構成要素は、各アセット１０２の画像またはグラフィカル表現、各アセット１０２の場所、各アセット１０２用の識別子、他のアセット１０２に対する１つまたは複数の接続、各アセット１０２用の動作条件閾値および／またはアラーム閾値、および／または、システムアセット１０２に関連する任意の他のデータを含むことができる。一実施形態では、ユーザまたは管理者は、システム１００のモデルを作成するときに使用するためにモデル構成要素をモデルデータベース１２２に入力することができる。本明細書で使用されるように、用語「モデル（model）」は、システムまたは構成要素の視覚的表現を指す。たとえば、モデルは、システムまたは構成要素のタイプ、アイデンティティ、場所、および／または、任意の他の特性を表すグラフィカルインジケータを表示するコンピュータベース表現とすることができる。
【００２１】
例示的な実施形態では、コンピューティングデバイス１０８は、データ収集デバイス１０６からデータを受信する、かつ／または、システム１００のモデルを表示するために、データ収集デバイス１０６に結合される。コンピューティングデバイス１０８は、メモリデバイス１２６、通信インタフェース１２８、ユーザ入力デバイス１３０、およびディスプレイ１３２に結合されたプロセッサ１２４を含む。例示的な実施形態では、コンピューティングデバイス１０８は、ラップトップ、スマートフォン、携帯情報端末（ＰＤＡ）、タブレットコンピュータ、および／または、本明細書で述べるように機能する任意の他のデバイスなどの移動体デバイスである。あるいは、コンピューティングデバイス１０８は、デスクトップコンピュータ、サーバコンピュータ、および／または、システム１００が本明細書で述べるように機能することを可能にする任意の他のコンピューティングデバイスである。
【００２２】
プロセッサ１２４は、１つまたは複数のシステムおよびマイクロコントローラ、マイクロプロセッサ、縮小命令セット回路（ＲＩＳＣ）、特定用途向け集積回路（ＡＳＩＣ）、プログラマブルロジック回路（ＰＬＣ）、フィールドプログラマブルゲートアレイ（ＦＰＧＡ）、および、本明細書で述べる機能を実行することが可能な任意の他の回路を含む任意の適したプログラマブル回路を含む。上記例は、例示に過ぎず、したがって、用語「プロセッサ」の定義および／または意味をいずれの点でも制限することを意図されない。
【００２３】
メモリデバイス１２６は、制限なしで、ランダムアクセスメモリ（ＲＡＭ）、フラッシュメモリ、ハードディスクドライブ、固体ドライブ、ディスケット、フラッシュドライブ、コンパクトディスク、デジタルビデオディスク、および／または、任意の適したメモリなどの、コンピュータ可読記憶媒体を含む。例示的な実施形態では、メモリデバイス１２６は、プロセッサ１２４が本明細書で述べる機能を実行することを可能にする、プロセッサ１２４によって実行可能であるデータおよび／または命令を含む（すなわち、プロセッサ１２４は命令によってプログラムされる）。
【００２４】
通信インタフェース１２８は、制限なしで、ネットワークインタフェースコントローラ（ＮＩＣ）、ネットワークアダプタ、送受信機、または、コンピューティングデバイス１０８が本明細書で述べるように動作することを可能にする任意の他の通信インタフェースまたはデバイスを含むことができる。例示的な実施形態では、通信インタフェース１２８は、任意の適した有線または無線ネットワークおよび／または通信プロトコルを使用してデータ収集デバイス１０６に接続することができる。
【００２５】
ユーザ入力デバイス１３０は、制限なしで、キーボード、キーパッド、タッチ感応式スクリーン、マウス、スクロールホイール、ポインティングデバイス、音声（speech）認識ソフトウェアを使用する音声入力デバイス、および／または、ユーザが、コンピューティングデバイス１０８にデータを入力する、かつ／または、コンピューティングデバイス１０８からデータを取出すことを可能にする任意の適したデバイスを含む。ディスプレイ１３２は、制限なしで、液晶ディスプレイ（ＬＣＤ）、真空蛍光ディスプレイ（ＶＦＤ）、陰極線管（ＣＲＴ）、プラズマディスプレイ、発光ダイオード（ＬＥＤ）ディスプレイ、１つまたは複数のＬＥＤ、および／または、グラフィカルデータおよびテキストをユーザに表示することが可能な任意の適した視覚出力デバイスを含む。一実施形態では、ディスプレイ１３２は、たとえば、ユーザがスクリーンを通してデータおよび／またはコマンドを入力することを可能にすることによってユーザ入力デバイス１３０の態様を組込むタッチ感応式スクリーンとすることができる。
【００２６】
動作中、データ収集デバイス１０６のセンサインタフェース１１４は、センサ１０４からセンサ測定信号を受信し、その信号を、測定データベース１２０に（プロセッサ１１０によって）記憶されるアセット測定データに変換する。データ収集デバイス１０６はまた、システムアセット１０２の１つまたは複数の態様を表す複数のモデル構成要素を受信または生成し、モデル構成要素をモデルデータベース１２２に記憶する。モデル構成要素、およびアセット測定データは、通信インタフェース１１６を介してコンピューティングデバイス１０８に送信される。
【００２７】
例示的な実施形態では、コンピューティングデバイス１０８は、データ収集デバイス１０６からモデル構成要素、およびアセット測定データを受信し、構成要素およびデータ（および／または構成要素および／またはデータのキャッシュ済みバージョン）をメモリデバイス１２６に記憶する。プロセッサ１２４は、メモリデバイス１２６からモデル構成要素、およびアセット測定データを取出し、モデル構成要素、および／またはアセット測定データに基づいてディスプレイ１３２上にシステム１００のモデルを表示する。
【００２８】
図２は、システム１００（図１に示す）などのシステムの例示的なグラフィカル表現またはモデル２００のブロック図である。より具体的には、図２は、モデル２００の平面図などの２次元（２Ｄ）図を示す。図３は、モデル２００の３次元（３Ｄ）図を示すブロック図である。たとえば、モデル２００は、ユーザがディスプレイ１３２上でシステム１００の仮想表現を閲覧することを可能にするアセット画像２０２の立体３Ｄディスプレイとすることができる。
【００２９】
例示的な実施形態では、モデル２００は、メモリデバイス１２６内に記憶された構成要素および／またはデータから（たとえばプロセッサ１２４（図１に示す）によって）生成される、かつ／または、コンピューティングデバイス１０８（図１に示す）のディスプレイ１３２によって表示される。別法としてまたは付加的に、モデル２００は、データ収集デバイス１０６などの、コンピューティングデバイス１０８から遠隔の少なくとも１つのデバイスまたはシステム内に記憶されることができる、かつ／または、それによって表示されることができる。
【００３０】
例示的な実施形態では、モデル２００は、ディスプレイ１３２上で、少なくとも１つのシステムアセット１０２（図１に示す）の表現または画像（以降で「アセット画像（asset image）２０２」と呼ぶ）を表示する。さらに、モデル２００は、たとえば、アセット画像２０２に関連するシステムアセット１０２に対応する場所２０４にモデル２００内の各アセット画像２０２を配置することによって、モデル２００内の各システムアセット１０２の場所２０４または相対位置を表示する。したがって、モデル２００内の各アセット画像２０２の位置は、アセット画像２０２に関連するかまたはそれによって表される各システムアセット１０２の、システム１００内の相対位置に対応する。
【００３１】
例示的な実施形態では、モデル２００は、物理的場所によって各システムアセット１０２をマッピングすることによって生成される。たとえば、ユーザは、全地球測位（ＧＰＳ）イネーブルド（enabled）カメラおよび／または別のデバイスを使用して、システムアセット１０２の物理的場所を特定し、システムアセット１０２の物理的場所をモデル２００内の関連するアセット画像２０２に自動的におよび／または手動で関連付けることができる。さらに、アセット測定データ、動作条件、プロセスパラメータ、アセット１０２の状態、および／または任意の他の詳細などのシステムアセット１０２に関連するデータが、アセット画像２０２に関連付けられることができる。各システムアセット１０２に関連するデータは、モデル２００内の関連するアセット画像２０２を選択することによって、アクセスされるかつ／または表示されることができる。たとえば、ユーザは、ユーザ入力デバイス１３０を使用してアセット画像２０２を選択して、システムアセット１０２に関連するデータを受信することができる。ユーザ入力デバイス１３０は、ユーザ入力を表す（すなわち、アセット画像２０２の選択を表す）信号を生成し、その信号をプロセッサ１２４に送信する。
【００３２】
アセット画像２０２は、例示的な実施形態では、画像２０２に関連するシステムアセット１０２間の、導管１０３（図１に示す）などのプロセス流接続を表す１つまたは複数の構成要素接続２０６を介して共に結合される。例示的な実施形態では、システムアセット１０２がユーザによって選択されると、アセット１０２に結合される構成要素接続２０６が自動的に強調される。さらに、アセット１０２が選択されると、構成要素接続２０６を介してシステムアセット１０２に入るかつ／またはシステムアセット１０２を出るプロセス流のグラフィカル表現が自動的に表示されることができる、かつ／または、プロセス流の特性を表すデータが自動的に表示されることができる。
【００３３】
本明細書で使用されるように、用語「強調する（emphasize）」は、モデル２００の非強調または「通常（normal）」部分の表示と比較して、見てよりわかるまたはより目立つ方法で、１つまたは複数のアセット画像２０２、構成要素接続２０６、および／またはモデル２００の任意の他の部分を表示することを指す。たとえば、１つまたは複数のアセット画像２０２は、モデル２００内の他のアセット画像２０２の色と対照的にアセット画像２０２をより明るいまたは見てよりわかる色でハイライトすることによって、他のアセット画像２０２に対してアセット画像２０２のコントラストまたは輝度を上げることによって、および／または、モデル２００が本明細書で述べるように機能することを可能にする任意の他の方法によって強調されることができる。
【００３４】
さらに例示的な実施形態では、ユーザは、たとえばユーザ入力デバイス１３０を使用してモデル２００を通してナビゲートすることができる。より具体的には、プロセッサ１２４は、ユーザ入力デバイス１３０からの入力を受信し、受信される入力に基づいてモデル２００を通してユーザがナビゲートすることを可能にする。本明細書で使用されるように、用語「ナビゲートする（navigate）」は、アセット画像２０２の異なる視図がユーザに提示されるように、（たとえば、モデル２００内のユーザの移動をシミュレートするために）モデル２００内で参照フレームおよび／またはユーザの仮想場所を移動させることを指す。たとえば、ユーザは、ユーザ入力デバイス１３０にアクセスして、アセット画像２０２の第２のセット２１２が視図においてより明瞭になるようにユーザがアセット画像２０２の第１のセット２１０を通り過ぎることを可能にする方向２０８にモデル２００内を仮想的に移動することができる。
【００３５】
あるいは、ユーザは、システムアセット１０２の相対場所に対するユーザの場所を示すデータに基づいてモデル２００内でナビゲートするまたは仮想的に移動することができる。より具体的には、プロセッサ１２４は、システム１００内のおよび／またはシステムアセット１０２の場所に対するユーザの相対場所を示す全地球測位衛星（ＧＰＳ）デバイス（図示せず）などの場所がわかるデバイスから場所データを受信する。プロセッサ１２４は、受信される場所データをモデル２００内のユーザの仮想場所に関連付ける。プロセッサ１２４は、モデル２００内のユーザの仮想場所に基づく参照フレームに従ってアセット画像２０２をユーザに表示することができる。
【００３６】
一実施形態では、プロセッサ１２４は、アセット画像２０２を調整して、画像２０２に関連するシステムアセット１０２の動作状態をグラフィカルに表示する。一実施形態では、プロセッサ１２４は、システムアセット１０２の振動を表示するために、アセット画像２０２を前後に移動させる（すなわち、あるタイプの発振）ことができる。プロセッサ１２４は、システムアセット１０２の振動が増加する場合、アセット画像２０２の運動速度を上げることができ、システムアセット１０２の振動が減少する場合、アセット画像２０２の運動速度を下げることができる。別の実施形態では、プロセッサ１２４は、システムアセット１０２の温度を表す色でアセット画像２０２を表示することによってアセット画像２０２を調整することができる。プロセッサ１２４は、温度が増加する場合、色の明るさ、濃さ、彩度、および／または色合いを増加させることができる、かつ／または、色の任意の他の特性を変えることができ、また、システムアセット１０２の温度が減少する場合、色の明るさ、濃さ、彩度、および／または色合いを減少させることができる、かつ／または、色の任意の他の特性を変えることができる。
【００３７】
さらに、例示的な実施形態では、プロセッサ１２４は、複数のセンサ画像２１４を使用してモデル２００内に複数のセンサ１０４（図１に示す）の場所を表示する。したがって、モデル２００内の各センサ画像２１４の場所は、システム１００内の関連する各センサ１０４の場所に対応する。
【００３８】
一実施形態では、複数のユーザは、モデル２００および／またはアセット画像２０２にアクセスするかつ／またはそれと相互作用することができる。たとえば、モデル２００は、複数の専門家および／または他のユーザが、モデル２００内で示されるシステムアセット１０２に関連する問題に共同で取組むかつ／またはそれを解決することができる仮想現実環境を示すことができる。各ユーザは、ネットワーク接続を通してモデル２００にアクセスすることができる。さらに、各ユーザは、ユーザ画像２１６によってモデル２００内で表されることができ、また、各ユーザは、モデル２００内の全ての他のユーザと相互作用することができる。ユーザはまた、システムアセット１０２に関連するアセット画像２０２を選択するかまたはそれに仮想的にアクセスすることによってシステムアセット１０２と相互作用することができる。本明細書で使用されるように、用語「仮想的にアクセスすること（virtually accessing）」は、ユーザの手の表現などの、画像２１６の一部分がモデル２００内のアセット画像２０２に接触するようにユーザ画像２１６を制御することを指す。たとえば、第１のユーザは、アセット画像２０２に仮想的にアクセスすることによってアセット画像２０２を選択することができ、アセット画像２０２によって表されるシステムアセット１０２の状態は、表示される状態を各ユーザが閲覧できるようにモデル２００内に表示されることができる。
【００３９】
さらに、１つまたは複数の画像および／またはビデオフィードが、モデル２００内に組込まれることができる、かつ／または、モデル２００にリンクされることができる。たとえば、ユーザは、アセット画像２０２を選択して、アセット画像２０２に関連するシステムアセット１０２を記憶するために配置された１つまたは複数のカメラ（図示せず）によって取込まれる画像および／またはビデオを表示することができる。
【００４０】
図４は、（図１に共に示す）システム１００のシステムアセット１０２などの、システムの複数のアセットの動作を監視するために実装されることができる例示的な方法３００のフロー図である。例示的な実施形態では、方法３００は、（図１に共に示す）コンピューティングデバイス１０８のメモリデバイス１２６内に記憶される複数のコンピュータ実行可能命令において具現化され、コンピューティングデバイス１０８の（図１に示す）プロセッサ１２４によって実行される。
【００４１】
例示的な実施形態では、複数のシステムアセット１０２を表す（図２に示すモデル２００などの）モデルは、メモリデバイス１２６に記憶される。各システムアセット１０２の状態を表すデータおよび／またはアセット測定データは、たとえば（図１に示す）データ収集デバイス１０６から受信され、３０２、そのデータはメモリデバイス１２６に記憶される。
【００４２】
（図２に示す）複数のアセット画像２０２が、（図１に示す）ディスプレイ１３２などのディスプレイ上に表示される、３０４。各アセット画像２０２は、例示的な実施形態では、システムアセット１０２を表す。したがって、各アセット画像２０２は、システム１００内のシステムアセット１０２の相対場所を示し、また、アセット管理データ、アセット１０２に関連する状態、および／またはアセット１０２に関連する任意の他のデータなどのシステムアセット１０２に関連するデータを受信するために選択されることができる。
【００４３】
例示的な実施形態では、アセット画像２０２の選択を表す入力が、たとえばユーザ入力デバイス１３０を通して受信される、３０６。より具体的には、ユーザは、ユーザ入力デバイス１３０を操作して、モデル２００内のアセット画像２０２を選択することができ、その入力はプロセッサ１２４に送信される。プロセッサ１２４は、選択されたアセット画像２０２に基づいて、システムアセット１０２の状態および／またはアセット１０２に関連する他のデータを表示する、３０８。
【００４４】
例示的な実施形態では、プロセッサ１２４は、選択されたアセット画像２０２によってどのシステムアセット１０２が表されるかを判定する。より具体的には、例示的な実施形態では、プロセッサ１２４は、選択されたアセット画像２０２に第１のシステムアセット１０２が関連すると判定し、（図１に示す）ディスプレイ１３２上に第１のシステムアセット１０２の状態を表示する、３０８。さらに、プロセッサ１２４は、第１のシステムアセット１０２に関連する第２のシステムアセット１０２の状態および／または第２のシステムアセット１０２に関連する任意の他のデータを自動的に表示する、３１０。例示的な実施形態では、第２のシステムアセット１０２は、たとえば導管１０３によって第１のシステムアセット１０２に結合される。プロセッサ１２４はまた、第１のシステムアセット１０２に関連するアセット画像２０２が選択されると、導管１０３を通るプロセス流を自動的に表示することができる。
【００４５】
本明細書で述べる装置、システム、および方法の技術的効果は、（ａ）複数のシステムアセットの状態を表すデータを受信すること、（ｂ）ディスプレイ上で複数のシステムアセットのモデルを表示することであって、モデルは複数のアセット画像を含み、複数のアセット画像の各アセット画像はあるシステムアセットを表す、表示すること、（ｃ）ディスプレイ上に複数の構成要素接続を表示することであって、各構成要素接続は少なくとも１つのシステムアセットに結合した導管を表す、表示すること、（ｅ）複数のアセット画像のあるアセット画像を選択すること、（ｆ）選択されたアセット画像に関連するシステムアセットの状態を表示すること、および、（ｇ）アセット画像が選択されると、システムアセットに入るプロセス流およびシステムアセットを出るプロセス流の少なくとも一方の表現を自動的に表示することの少なくとも１つを含む。
【００４６】
本明細書で述べるシステムは、複数のシステムアセットについて状態情報を、効率的にかつ頑健に表示する。システムアセットのモデルが、提供され、ディスプレイ上に表示される。複数のアセット画像がモデル内に含まれ、各アセット画像がシステムアセットを表す。システムアセットに結合された複数の導管は、複数の構成要素接続としてモデル内で表される。ユーザは、アセット画像を選択して、アセット画像に関連するシステムアセットの状態および／または他のデータを得ることができる。アセット画像が選択されると、システムアセットに入るプロセス流および／またはシステムアセットを出るプロセス流がモデル内で表示される。したがって、ユーザは、システム内でシステムアセットについての履歴情報を迅速にかつ効率的に得ることができ、したがって、システムの問題解決および解析を容易にする。
【００４７】
複数のシステムアセットの動作を監視するときに使用するためのシステム、方法、および装置の例示的な実施形態が、上記で詳細に述べられる。システム、方法、および装置は、本明細書で述べる特定の実施形態に限定させるのではなく、むしろ、装置および／またはシステムの構成要素ならびに／または方法のステップは、本明細書で述べる他の構成要素および／またはステップと独立にかつ別個に利用されることができる。たとえば、本明細書で述べるコンピューティングデバイスはまた、他のシステムおよび方法と組合せて使用されることができ、本明細書で述べるシステムまたはデータ収集デバイスだけと共に実施されることに限定されない。むしろ、例示的な実施形態は、多くの他の電力システムまたは産業用途に関連して実装され利用されうる。
【００４８】
本発明の種々の実施形態の特定の特徴が、他の図面ではなくいくつかの図面で示されることができるが、これは、便宜のために過ぎない。本発明の原理によれば、図面の任意の特徴は、任意の他の図面の任意の特徴と組合せて参照されるかつ／または請求されることができる。
【００４９】
この書面による説明は、本発明を、その最良のモードを含めて開示するために、また、当業者が、任意のデバイスまたはシステムを作り使用すること、および任意の組込まれた方法を実施することを含めて本発明を実施することを可能にするために、例を使用する。本発明の特許性のある範囲は特許請求の範囲によって規定され、かつ、当業者が思いつく他の例を含むことができる。こうした他の例は、特許請求の範囲の字義通りの言葉に相違しない構造要素を有する場合、または特許請求の範囲の字義通りの言葉とごくわずかな差違を有する等価な構造要素を有する場合、特許請求の範囲内にあることが意図される。
【符号の説明】
【００５０】
１００  システム
１０２  システムアセット
１０３  導管
１０４  センサ
１０６  データ収集デバイス
１０８  コンピューティングデバイス
１１０  プロセッサ
１１２  メモリデバイス
１１４  センサインタフェース
１１６  通信インタフェース
１１８  データベース
１２０  測定データベース
１２２  モデルデータベース
１２４  プロセッサ
１２６  メモリデバイス
１２８  通信インタフェース
１３０  ユーザ入力デバイス
１３２  ディスプレイ
２００  モデル
２０２  アセット画像
２０４  場所
２０６  構成要素接続
２１０  第１のセット
２１２  第２のセット
２１４  センサ画像
２１６  ユーザ画像
３００  方法
３０２  システムアセットの状態を表すデータを受信する
３０４  ディスプレイ上に複数のアセット画像を表示する
３０６  アセット画像の選択を表す入力を受信する
３０８  選択されたアセット画像に基づいて第１のシステムアセットの状態を表示する
３１０  第１のシステムアセットに関連する第２のシステムアセットの状態を自動的に表示する
【図１】
2013196689.tif 000003
【図２】
2013196689.tif 000004
【図３】
2013196689.tif 000005
【図４】
2013196689.tif 000006